(57)【要約】【課題】 上部基板と下部基板の両方向に発光する一つの有機ＥＬパネルで、イメージを表示するフォルダ型移動端末機およびその表示方法を提供すること。【解決手段】  ＲＦ処理部50を備えるフォルダ型移動端末機は、上部基板と下部基板の間に形成された有機発光層から、光が上部基板と下部基板の両方向に発光してイメージをディスプレイする一つの有機ＥＬパネル40と、移動端末機フォルダの開閉状態を検出した後、感知信号を出力するセンサー60と、センサーから受けた感知信号に従って有機ＥＬパネル40を駆動するための制御信号を出力する制御部10と、制御部から駆動制御信号を受けて有機ＥＬパネル40を駆動する駆動部30と、ダイアリングのための多数個の数字キーと特殊な機能を行う多数個の機能キーとを有するキー入力部20とを含む。【選択図】      図３
2005110277.tif 000002
【特許請求の範囲】
【請求項１】
ユーザーによって入力される音声信号を無線信号に変調し、アンテナを通じて受信される無線信号を復調して出力するＲＦ処理部を備えたフォルダ型移動端末機であって、
上部基板と下部基板の間に形成された有機発光層から、光が前記上部基板と下部基板の両方向に発光してイメージを表示する一つの有機ＥＬパネルと、
前記移動端末機フォルダの開閉状態を検出した後、感知信号を出力するセンサーと、
前記センサーから受けた前記感知信号に従って前記有機ＥＬパネルを駆動するための制御信号を出力する制御部と、
前記制御部から駆動制御信号を受けて前記有機ＥＬパネルを駆動する駆動部と、
ダイアリングのための多数個の数字キー及び特殊な機能を行う多数個の機能キーを含むキー入力部と、を含んでいることを特徴とするフォルダ型移動端末機。
【請求項２】
前記有機ＥＬパネルの上部基板と下部基板は、透明基板で形成されることを特徴とする請求項１に記載のフォルダ型移動端末機。
【請求項３】
前記有機ＥＬパネルの第１電極は、ＩＴＯで形成されることを特徴とする請求項１に記載のフォルダ型移動端末機。
【請求項４】
前記有機ＥＬパネルの第２電極は、透明な金属物質で形成されることを特徴とする請求項１に記載のフォルダ型移動端末機。
【請求項５】
前記駆動部は、前記フォルダが開いた状態であれば、前記有機ＥＬパネルの全体領域をスキャンした後、前記スキャンした画素にデータを印加することで前記有機ＥＬパネルの全体領域を駆動し、
前記フォルダが閉じた状態であれば、前記駆動部は、前記有機ＥＬパネルの一部の領域をスキャンした後、前記スキャンした画素にデータを印加することで前記有機ＥＬパネルの一部の領域を駆動することを特徴とする請求項１に記載のフォルダ型移動端末機。
【請求項６】
前記駆動部は、前記フォルダが閉じた状態である時、前記フォルダが開いた状態の時に表示されるデータのうち一部を、前記部分的にスキャンされた画素領域に印加することを特徴とする請求項５に記載のフォルダ型移動端末機。
【請求項７】
前記駆動部は、前記フォルダが閉じた状態である時、表示されるデータの整列方向が前記フォルダの開いた状態の時に表示されるデータの方向と逆となるように駆動することを特徴とする請求項６に記載のフォルダ型移動端末機。
【請求項８】
ユーザーによって入力される音声信号を無線信号に変調し、アンテナを通じて受信される無線信号を復調して出力するＲＦ処理部を備えたフォルダ型移動端末機において、
前記移動端末機のフォルダの開閉状態を判断して、感知信号を出力する段階と、
前記感知信号に従い、光が上部基板と下部基板の両方向に発光してイメージを表示する一つの有機ＥＬパネルを駆動するための制御信号を出力する段階と、
前記駆動制御信号に従って前記有機ＥＬパネルを駆動する段階と、
前記駆動信号に従って前記有機ＥＬパネル上にイメージを表示する段階と、
を含むことを特徴とするフォルダ型移動端末機の表示方法。
【請求項９】
前記有機ＥＬパネルの上部基板と下部基板は、透明基板で形成されることを特徴とする請求項８に記載のフォルダ型移動端末機の表示方法。
【請求項１０】
前記有機ＥＬパネルの第１電極は、ＩＴＯで形成されることを特徴とする請求項８に記載のフォルダ型移動端末機の表示方法。
【請求項１１】
前記有機ＥＬパネルの第２電極は、透明な金属物質で形成されることを特徴とする請求項８に記載のフォルダ型移動端末機の表示方法。
【請求項１２】
前記駆動部は、前記フォルダが開いた状態であれば、前記有機ＥＬパネルの全体領域をスキャンした後、前記スキャンした画素にデータを印加することで前記有機ＥＬパネルの全体領域を駆動し、
前記フォルダが閉じた状態であれば、前記駆動部は、前記有機ＥＬパネルの一部の領域をスキャンした後、前記スキャンした画素にデータを印加することで前記有機ＥＬパネルの一部の領域を駆動することを特徴とする請求項８に記載のフォルダ型移動端末機の表示方法。
【請求項１３】
前記駆動部は、前記フォルダが閉じた状態である時、前記フォルダが開いた状態の時に表示されるデータのうち一部を、前記部分的にスキャンされた画素領域に印加することを特徴とする請求項１２に記載のフォルダ型移動端末機の表示方法。
【請求項１４】
前記駆動部は、前記フォルダが閉じた状態である時、表示されるデータの整列方向が前記フォルダの開いた状態の時に表示されるデータの方向と逆になるように駆動することを特徴とする請求項１３に記載のフォルダ型移動端末機の表示方法。
【発明の詳細な説明】
【技術分野】
【０００１】
本発明は、移動端末機およびその表示方法に関し、特に、上部基板と下部基板の両側に発光する有機ＥＬパネルを用いたフォルダ型移動端末機およびその表示方法に関する。
【背景技術】
【０００２】
最近、フォルダ型の携帯電話機が大量に出回っている。フォルダ型携帯電話機にはディスプレイパネルの内側面と、外側面とに互いに異なる大きさのＬＣＤを採用した製品が多く生産されている。
即ち、通常、フォルダ型携帯電話機にＬＣＤを使用する場合、フォルダの内側面に位置したＬＣＤパネルの大きさは、外側面に位置したＬＣＤパネルより大きい。
ここで、ディスプレイパネルとして、ＬＣＤの代わりに有機ＥＬパネルが適用されることがある。
【０００３】
一般的に、有機ＥＬ素子は、電子注入電極と、正孔注入電極とからそれぞれ電子と正孔を発光層の内部に注入させ、注入された電子と正孔とが結合したエキシトンが励起状態から基底状態に落ちる時に発光する素子である。
【０００４】
有機ＥＬ素子は、ＬＣＤのように別途の光源を必要とする受動型発光素子に比べて応答速度が陰極線管のような水準で速いという長所を有している。
また、直流駆動電圧が低く、超薄膜化が可能であるため、携帯型装置に適する。
【０００５】
図１は、従来の有機ＥＬパネルの構造を示す断面図である。
図１に示したように、まず、透明基板１上に透明物質のＩＴＯをエッチングしてパターニングすることで第１電極２を形成する。そして、第１電極上に有機発光層３を形成し、有機発光層上にメタルを使用して第２電極４を形成する。
【０００６】
次いで、金属からなる基板５が蒸着され、最後に基板１,５がシーリング材６によってシーリングされる。かかる従来の有機ＥＬの構造では、有機発光層から発光した光が下部の透明基板１側にのみ出る。
【発明の開示】
【発明が解決しようとする課題】
【０００７】
しかしながら、従来のＬＣＤ又は有機ＥＬを用いたフォルダ型移動端末機は、互いに異なる大きさを有する二つのディスプレイパネルを必要とするため、ディスプレイパネルをそれぞれ異なる形態で制御しなければならない。
【０００８】
また、これにより使用される部品の数も２倍に増加するので、携帯電話機の単価面でも不利な問題点がある。
【０００９】
本発明は、上記の問題点を解決するためのもので、その目的は、上部基板と下部基板の両方向に発光する一つの有機ＥＬパネルでイメージを表示するデュアルフォルダ型移動端末機およびその表示方法を提供することである。
【課題を解決するための手段】
【００１０】
上記目的を達成するために、本発明に係るフォルダ型移動端末機は、上部基板と下部基板の間に形成された有機発光層から光が前記上部基板と下部基板の両方向に発光してイメージを表示する一つの有機ＥＬパネルと、前記移動端末機フォルダの開閉状態を検出した後、感知信号を出力するセンサーと、前記センサーから受けた前記感知信号に従って前記有機ＥＬパネルを駆動するための制御信号を出力する制御部と、前記制御部から駆動制御信号を受けて前記有機ＥＬパネルを駆動する駆動部と、ダイアリングのための多数個の数字キー及び特殊な機能を行う多数個の機能キーを有するキー入力部とを含んでいることを特徴とする。
【００１１】
前記有機ＥＬパネルの上部基板と下部基板は透明基板で形成されている。
【００１２】
そして、前記有機ＥＬパネルの第１電極はＩＴＯで形成され、第２電極は透明な金属物質で形成される。
【００１３】
一方、前記駆動部は、前記フォルダが開いた状態であれば、前記有機ＥＬパネルの全体領域をスキャンした後、前記スキャンした画素にデータを印加することで前記有機ＥＬパネルの全体領域を駆動し、前記フォルダが閉じた状態であれば、前記駆動部は、前記有機ＥＬパネルの一部の領域をスキャンした後、前記スキャンした画素にデータを印加することで前記有機ＥＬパネルの一部の領域を駆動することを特徴とする。
【００１４】
ここで、前記駆動部は、前記フォルダが閉じた状態である時、前記フォルダが開いた状態の時に表示されるデータのうち一部を、前記部分的にスキャンされた画素領域に印加する。
【００１５】
また、前記駆動部は、前記フォルダが閉じた状態である時、表示されるデータの整列方向が前記フォルダの開いた状態の時に表示されるデータの方向と逆となるように駆動することを特徴とする。
【００１６】
本発明に係るフォルダ型移動端末機の表示方法は、前記移動端末機のフォルダの開閉状態を判断して、感知信号を出力する段階と、前記感知信号に従い、光が上部基板と下部基板の両方向に発光してイメージを表示する一つの有機ＥＬパネルを駆動するための制御信号を出力する段階と、前記駆動制御信号に従って前記有機ＥＬパネルを駆動する段階と、前記駆動信号に従って前記有機ＥＬパネル上にイメージを表示する段階とを含んでいる。
【発明の効果】
【００１７】
本発明に係るフォルダ型移動端末機には次のような効果がある。
【００１８】
第一に、有機ＥＬパネルの第１、２電極を透明な金属で形成し、透明な基板を用いてシーリングすることで、一つの有機ＥＬパネルでフォルダ両面へのディスプレイが可能である。したがって、移動端末機の単価を低廉にすることができる。
【００１９】
第二に、フォルダが開いた状態の場合、有機ＥＬパネルの全体領域にディスプレイし、閉じた状態の場合には有機ＥＬパネルの一部分の領域に表示することで、必要とする電力使用量を減らすことができる。
【発明を実施するための最良の形態】
【００２０】
以下、本発明の好適な実施の形態について、添付の図面に基づいて詳細に説明する。
【００２１】
図２は、本発明に係るフォルダ型移動端末機の有機ＥＬパネル４０の構造を示す断面図である。
図示したように、有機ＥＬパネル４０は、下部透明基板１１上に透明物質であるＩＴＯをエッチングしてパターニングすることで形成される第１電極１２と、透明金属で形成され、第１電極１２と交差するようにパターニングされる第２電極１４と、第１及び第２電極１２、１４間の交差領域によって形成された画素領域に蒸着され、第１及び第２電極１２、１４に印加される電圧によって発光する有機発光層１３と、有機発光層１３と第２電極を保護するために形成された無機物層１５と、無機物層１５上に形成される上部透明基板１６と、上部基板と下部基板を接着するシーリング材１７とを含んで構成されている。
【００２２】
第１電極１２は有機発光層１３にホールを注入し、第２電極１４はエレクトロンを注入する。このように、上部基板と下部基板１１、１６を透明基板で形成し、第２電極１４を透明金属で形成することにより、有機ＥＬパネル４０の上部透明基板１６と、下部透明基板１１の両方向に光が出るようにする。
【００２３】
図３は、本発明に係る有機ＥＬパネル４０を用いたフォルダ型移動端末機のブロック構成図である。
図示したように、フォルダ型移動端末機は、制御部１０、キー入力部２０、駆動部３０、有機ＥＬパネル４０、ＲＦ処理部５０、センサー６０で構成されている。
ＲＦ処理部５０は、ユーザーによって入力される音声信号を無線信号に変調した後アンテナで出力し、アンテナを通じて受信される無線信号を復調してから出力する。
【００２４】
そして、有機ＥＬパネル４０は、図２で説明したように、上部基板と下部基板１１、１６を透明基板で形成し、第２電極１４を透明な金属で形成することで、画素領域に形成された有機発光層１３での発光が、上部基板と下部基板１１、１６の両方向に起こるようにする。
【００２５】
センサー６０は、移動端末機のフォルダの開閉状態を判断した後、感知信号を制御部１０に出力する。制御部１０は、移動端末機の全般的な動作を制御し、センサー６０から感知信号を受けて有機ＥＬパネル４０のディスプレイを駆動する制御信号を出力する。
【００２６】
駆動部３０は、制御部１０から有機ＥＬパネル４０を駆動するための制御信号を受けて移動端末機の動作状態又はダイアリングなどのデータが有機ＥＬパネル４０に適切に表示されるように駆動する。ここで、駆動部３０は、有機ＥＬパネル４０の各画素をオンにするためにスキャン信号を印加するスキャン駆動用ＩＣ３１と、スキャン駆動用ＩＣ３１によってオンになった画素にデータを印加するデータ駆動用ＩＣ３２とを含む。キー入力部２０は、ダイアリング又は入力のための多数個の数字キーと、特殊な機能を行う多数個の機能キーを備える。
【００２７】
以下、フォルダ型移動端末機の動作を詳細に説明する。
【００２８】
まず、センサー６０は、フォルダの開閉状態を判断した後、該当感知信号を制御部１０に出力する。すると、制御部１０は、感知信号を受信した後、フォルダが開いた状態であれば有機ＥＬパネル４０の全体を使用してデータを表示し、フォルダが閉じた状態であれば有機ＥＬパネル４０の一部を使用してデータを表示するように駆動部３０に制御信号を送る。
【００２９】
即ち、駆動部３０は、制御部１０からフォルダが開いた状態であることを表す制御信号を受けると、スキャン駆動用ＩＣ３１によって有機ＥＬパネル４０の全体を正方向にスキャンし、データ駆動用ＩＣ３２によってスキャンされた画素にデータを印加して有機ＥＬパネル４０の全体を駆動する。
【００３０】
反面、フォルダが閉じた状態であることを表す制御信号を受けると、スキャン駆動用ＩＣ３１によって有機ＥＬパネル４０の一部をスキャンし、データ駆動用ＩＣ３２によってスキャンされた画素にデータを印加して有機ＥＬパネル４０の一部を駆動する。
【００３１】
ここで、駆動部３０は、フォルダが閉じた状態である時、フォルダが開いた状態の時に有機ＥＬパネル４０に表示されるデータのうち一部を、部分的にスキャンされた画素に印加する。この際、駆動部は、外側のフォルダに表示されるデータの整列方向が、フォルダが開いている時、つまり内側のフォルダに表示されるデータ表示方向と逆方向になるようにする。
【００３２】
このように、本発明に係るフォルダ型移動端末機は、フォルダの内側面と外側面に別途のディスプレイ装置を構成せず、一つの有機ＥＬパネル４０で両側面を表示する。
ここで、フォルダの内側面では有機ＥＬパネル４０の全体を活用してデータを表示し、フォルダの外側面では有機ＥＬパネル４０の部分のみを活用してデータを表示する。したがって、全体的に有機ＥＬパネル４０で消耗される電力を最小限にすることができる。
【００３３】
図４は、本発明に係るフォルダ型移動端末機のフォルダが開いた状態の場合の一例を示した図面である。
図示したように、有機ＥＬパネル４０によって表示されるディスプレイ領域は、便宜上アイコン部分Ａと、データ部分Ｂとに分けられる。
【００３４】
図５は、本発明に係るフォルダ型移動端末機のフォルダが閉じた状態の場合の一例を示す図面である。
図５において、フォルダが閉じた状態であれば、駆動部３０は表示しようとする列に該当する有機ＥＬパネル４０の一部をスキャンし、表示されるデータの方向を変化させ、望んだとおりに表示することができる。
【００３５】
制御部は、センサー６０からフォルダが閉じた状態であるとの感知信号を受けると、駆動部３０が有機ＥＬパネル４０の一部領域にデータを表示するように駆動制御信号を送る。
【００３６】
即ち、駆動部３０のスキャン駆動用ＩＣ３１は、データを表示する有機ＥＬパネル４０の一部領域をスキャンし、データ駆動用ＩＣ３２は、フォルダが開いた状態の時に表示されるデータのうち一部を、その整列方向を変えた後、一部がスキャンされた画素に印加する。
【００３７】
すると、図示したように、フォルダが開いた状態の時に有機ＥＬパネル４０によって表示されていたイメージのうち、アイコン部分Ａとデータ部分Ｂの一部分Ｂ'とが表示される。
【００３８】
図６は、本発明に係る有機ＥＬパネル４０を用いたフォルダ型移動端末機の表示方法を示す順序図である。
まず、センサー６０が移動端末機の電源のオン、オフを判断する(Ｓ１００)。
そして、電源がオンであれば、センサー６０は移動端末機のフォルダの開閉状態を感知した後、該当信号を制御部１０に送る(Ｓ２００)。
フォルダが開いていれば、制御部１０は有機ＥＬパネル４０の全体領域にイメージが表示されるように駆動部３０を制御する。
【００３９】
即ち、駆動部３０は、制御部１０からフォルダが開いた状態であることを表す制御信号を受けると、スキャン駆動用ＩＣ３１によって有機ＥＬパネル４０の全体を正方向にスキャンし、データ駆動用ＩＣ３２によってスキャンされた画素にデータを印加して、有機ＥＬパネル４０の全体を駆動する(Ｓ３００)。
【００４０】
反面、フォルダが閉まっていれば、制御部１０は、有機ＥＬパネル４０の一部領域にイメージが表示されるように駆動部３０を制御する。
即ち、駆動部３０は、フォルダが閉じた状態であることを表す制御信号を受けると、データの表示方向をフォルダが開いている時、つまりフォルダの内側面に表示されるデータ表示方向と逆方向となるように変える(Ｓ４００)。
【００４１】
そして、スキャン駆動用ＩＣ３１によって有機ＥＬパネル４０の一部領域をスキャンし、データ駆動用ＩＣ３２によってスキャンされた画素にデータを印加して、有機ＥＬパネル４０の一部領域を駆動する(Ｓ５００)。
すると、有機ＥＬパネル４０は、駆動部３０の駆動信号に従って該当するイメージを表示する(Ｓ６００)。
【００４２】
以上で説明した内容を通じて、当業者であれば本発明の技術思想を離脱しない範囲で多様な変更及び修正が可能なことが分かるだろう。
したがって、本発明の技術的範囲は実施形態に記載の内容に限定されるものではなく、特許請求の範囲によって定められるべきである。
【図面の簡単な説明】
【００４３】
【図１】従来の有機ＥＬパネルの構造を示す断面図である。
【図２】本発明に係るフォルダ型移動端末機の有機ＥＬパネルの構造を示す断面図である。
【図３】本発明に係る有機ＥＬパネルを用いたフォルダ型移動端末機のブロック構成図である。
【図４】本発明に係るフォルダ型移動端末機のフォルダが開いている状態の場合の一例を示す図面である。
【図５】本発明に係るフォルダ型移動端末機のフォルダが閉じている状態の場合の一例を示す図面である。
【図６】本発明に係る有機ＥＬパネルを用いたフォルダ型移動端末機の表示方法を示す順序図である。
【符号の説明】
【００４４】
１０：制御部
２０：キー入力部
３０：駆動部
３１：スキャン駆動用ＩＣ
３２：データ駆動用ＩＣ
４０：有機ＥＬパネル
５０：ＲＦ処理部
６０：センサー
【図１】
2005110277.tif 000003
【図２】
2005110277.tif 000004
【図３】
2005110277.tif 000005
【図４】
2005110277.tif 000006
【図５】
2005110277.tif 000007
【図６】
2005110277.tif 000008